(57)【要約】【課題】吸引管の周囲を均一に照らす医療用吸引器を提供する。【解決手段】医療用吸引器１は、中空の本体部１１と、本体部１１内に挿通され、術野に貯留した液体の吸引物Ｌが吸引される吸引管１２と、本体部１１の先端から露出した吸引管１２が内部を通る管状の導光部材１３と、本体部１１内に設置され、導光部材１３に光を照射する発光部１４と、を備える。導光部材１３は、望ましくは、周面の先端部に凹凸部を有する。【選択図】図２
2020130666.tif 000002
【特許請求の範囲】
【請求項１】
中空の本体部と、
前記本体部を通り、術野に貯留した液体を吸引するための吸引管と、
前記本体部から露出した前記吸引管が内部を通る管状の導光部材と、
前記本体部内に設置され、前記導光部材に光を照射する発光部と、
を備えることを特徴とする医療用吸引器。
【請求項２】
前記導光部材は、周面の先端部に凹凸部を有することを特徴とする請求項１に記載の医療用吸引器。
【請求項３】
前記凹凸部は、前記導光部材の周面の先端部に複数の球体部を有する構造であることを特徴とする請求項２に記載の医療用吸引器。
【請求項４】
前記凹凸部は、前記導光部材の周面の先端部に複数の溝部を有する構造であることを特徴とする請求項２に記載の医療用吸引器。
【請求項５】
前記凹凸部は、前記導光部材の周面の先端部に複数の窪み部を有する構造であることを特徴とする請求項２に記載の医療用吸引器。
【請求項６】
前記凹凸部は、前記導光部材の周面の先端部に複数の半球体状の凸部を有する構造であることを特徴とする請求項２に記載の医療用吸引器。
【発明の詳細な説明】
【技術分野】
【０００１】
本発明は、外科手術等において、術野に貯留した液体の吸引物を吸引するための医療用吸引器に関する。
【背景技術】
【０００２】
外科手術等において、術中に出血した血液、体内の組織から漏れ出た体液、術中に使用した洗浄液等の液体を吸引する医療用吸引器が知られている。医療用吸引器を用いて術野に貯留した液体の吸引物を吸引する際、吸引する部位（以下、「吸引部位」と記載する。）を照らするために、手術室の照明、ヘッドランプ、手術器具に搭載される照明装置等が用いられている。ところが、これらの照明は、手術部位や術式によっては（例えば、体内の深部等の手術の場合や、腹腔鏡手術等の侵襲を最小限にする手術の場合には）照度が不十分となることがあるため、吸引部位が不鮮明となる恐れがある。
【０００３】
このような問題を解消するため、光ファイバケーブルやＬＥＤ等の照明が取り付けられた照明付き吸引器が開示されている（例えば、特許文献１を参照）。
【先行技術文献】
【特許文献】
【０００４】
【特許文献１】特開２００７−１９５９３０号公報
【発明の概要】
【発明が解決しようとする課題】
【０００５】
しかしながら、特許文献１の吸引器では、吸引管の一側に光ファイバーケーブルの発光部が固定された構造であり、吸引管の影ができるため、吸引管の周囲を均一に照らすことができないという問題がある。
【０００６】
そこで、本発明は、吸引管の周囲を均一に照らすことができる医療用吸引器を提供することを目的とする。
【課題を解決するための手段】
【０００７】
前記課題を解決するため、本発明に係る医療用吸引器は、中空の本体部と、本体部を通り、術野に貯留した液体を吸引するための吸引管と、本体部から露出した吸引管が内部を通る管状の導光部材と、本体部内に設置され、導光部材に光を照射する発光部と、を備えることを特徴とする。
【０００８】
このような構成によれば、導光部材が吸引管が内部を通る管状に形成されているため、導光部材から出射される光が、吸引管によって影を作らず、吸引管の周囲を均一に照らすことができる。
【０００９】
導光部材は、周面の先端部に凹凸部を有することが望ましい。
【００１０】
このように、周面の先端部に凹凸部が設けられていることで、導光部材を通った光が、先端部の凹凸部で周囲（吸引管から放射状に離れる方向）に出射しやすい。これによって、吸引部位の周辺を均一に照らすことができる。
より具体的には、凹凸部が無い場合には、導光部材の先端から出射される光の割合が多くなるところ、吸引管で液体を吸引するときに導光部材の先端が体の組織に近づくと、先端から出射された光を有効に利用することができない。しかし、周面の先端部に凹凸部があることで導光部材の先端から出射される光を少なくし、周面から出射する光を多くすることができるので、吸引管の先端を体の組織に近づけても、吸引管の先端部の周囲を良好に照らすことができる。
【００１１】
前記凹凸部は、導光部材の周面の先端部に複数の球体部を有する構造であってもよい。
【００１２】
このような構成によれば、導光部材の先端部から出射される光の照度を効果的に高めることができるとともに、吸引器が用いられる部位の体内組織の損傷を防止でき、かつ、導光部材の製造も容易となる。
【００１３】
凹凸部は、導光部材の周面の先端部に複数の溝部を有する構造であってもよい。
【００１４】
このような構成によれば、導光部材の先端部から出射される光の照度を効果的に高めることができるとともに、導光部材の製造も容易となる。
【００１５】
凹凸部は、導光部材の周面の先端部に複数の窪み部を有する構造であってもよい。
【００１６】
このような構成によれば、導光部材の先端部から出射される光の照度を効果的に高めることができるとともに、導光部材の製造も容易となる。
【００１７】
凹凸部は、導光部材の周面の先端部に複数の半球体状の凸部を有する構造であってもよい。
【００１８】
このような構成によれば、導光部材の先端部から出射される光の照度を効果的に高めることができるとともに、吸引器が用いられる部位の体内組織の損傷を防止できる。
【発明の効果】
【００１９】
本発明によれば、導光部材から出射される光が、吸引管によって影を作らず、吸引管の周囲を均一に照らすことができる。
【図面の簡単な説明】
【００２０】
【図１】本発明の一実施形態に係る医療用吸引器の外観構成と使用状態を示す図である。
【図２】本発明の一実施形態に係る医療用吸引器の内部構成を示す断面図である。
【図３】発光部の配置を示す部分断面図である。
【図４】導光部材の先端形状の一例を示す断面図である。
【図５】導光部材の先端形状の他の例を示す図（ａ）〜（ｃ）である。
【発明を実施するための形態】
【００２１】
本発明の一実施形態に係る医療用吸引器について、適宜図面を参照しながら詳細に説明する。
【００２２】
図１および図２に示すように、本実施形態に係る医療用吸引器１（以下、単に「吸引器１」と略記する。）は、外科手術等において、術中に出血した血液、体内の組織Ｔから漏れ出た体液、術中に使用した洗浄液等の液体の吸引物Ｌを吸引するために使用される。吸引器１の用途は、外科手術等に用いられる場合に限られず、例えば、歯科治療等の際に、患者の口腔内に貯留した唾液や血液等の液体の吸引物Ｌを吸引するために用いられてもよい。この吸引器１は、本体部１１と、吸引管１２と、導光部材１３と、発光部１４と、を主に備える。このように、吸引器１は発光部１４を備えることから、発光部１４により吸引部位Ｓを十分な照度で照明して鮮明な術野を提供しながら、吸引器１により吸引物Ｌを吸引できる。
【００２３】
本体部１１は、吸引管１２が挿入され、発光部１４が内部に設置された中空のケーシングである。外科手術、歯科治療等の際に吸引器１が使用される場合には、本体部１１は、医師等の吸引器１の使用者により把持される。本体部１１の先端（吸引物Ｌの吸引部位Ｓに近い側の端部）には、導光部材１３が取り付けられ、本体部１１の後端（吸引部位Ｓから遠い側の端部）には、連結部１５が取り付けられる。
【００２４】
連結部１５には、吸引管１２の管軸方向に貫通する貫通孔１５ａが設けられており、貫通孔１５ａには、吸引管１２の後端部が入っている。また、連結部１５の外周には、吸引ポンプ等を有する吸引装置（図示せず。）と吸引器１とを接続するホース１６が着脱可能に取り付けられる。ホース１６は、吸引器１により吸引した液体の吸引物Ｌが外部から観察できるように、一般に、ＰＶＣ等の透明な樹脂製であり、衛生面から使い捨てとすることが好ましい。
【００２５】
また、本体部１１の後端に取り付けられた発光部１４のスイッチ１４５の端面Ｆｓは、本体部１１の後端面Ｆｂよりも先端側に位置している。そのため、連結部１５にホース１６を接続する際に、本体部１１やスイッチ１４５がホース１６と干渉しにくくなっている。
【００２６】
本体部１１の材質は特に制限されず、樹脂製であってもよく、金属製であってもよい。吸引器１の操作性を考慮すると、本体部１１は、軽量な樹脂製であることが好ましい。
【００２７】
吸引管１２は、本体部１１内に挿通され、術野（吸引部位Ｓ）に貯留した液体の吸引物Ｌが吸引される際の流路となる。吸引物Ｌは、吸引管１２の先端の吸引口１２ａから吸引され、吸引管１２の後端の排出口１２ｂから連結部１５の貫通孔１５ａ内を通り、ホース１６を経由して吸引装置まで送られる。吸引管１２は、吸引物Ｌを安全かつ確実に吸引装置まで送るために、金属管であることが好ましい。また、吸引管１２は、吸引部位Ｓに接する先端（吸引口１２ａ）から連結部１５の後端まで一体のパイプ構造を採用することで、液漏れや空気漏れのリスクを低減することができる。
【００２８】
導光部材１３は、透明または半透明の材質からなる管状の部材である。導光部材１３の材質は、樹脂製であることが好ましい。このような透光性を有する樹脂としては、熱可塑性樹脂と熱硬化性樹脂のいずれも使用でき、例えば、アクリル樹脂、ビニル樹脂、ポリカーボネート樹脂、ポリエステル樹脂、ポリエーテル樹脂、ウレタン樹脂、エポキシ樹脂等が挙げられる。導光部材１３は、吸引管１２を金型にインサートして吸引管１２と一体に成形することができる。また、導光部材１３を吸引管１２とは別に成形して、導光部材１３の管の中に吸引管１２を挿入して組み付けてもよい。
【００２９】
吸引管１２は、導光部材１３の管の内部を通っている。吸引管１２の先端は、導光部材１３の先端から突出している。この突出量は適宜設定することができるが、例えば３〜１０ｍｍ程度とすることができる。このため、吸引物Ｌを吸引管１２で吸引するために、吸引管１２の先端部を吸引物Ｌに浸漬させた場合であっても、導光部材１３の先端は吸引物Ｌに浸漬しにくく、吸引部位Ｓを効率良く照らすことができる。
また、吸引管１２の先端部の側面には、吸引管１２の内部に貫通する孔１２ｃが設けられている。これにより吸引管１２の吸引口１２ａが組織Ｔに接触して閉塞されたり、他の異物が吸引口１２ａや吸引管１２の内部に詰まった場合でも、組織Ｔや異物が吸引口１２ａに強く吸い付くことを抑制することができる。このような吸い付き抑制のため、既存の吸引器と同様に、吸引管の側面に開けられた孔を使用者の指で開け閉めして吸引力を制御する方式を採用することもできる。
【００３０】
また、導光部材１３は、その周面の先端部に凹凸部を有する。この凹凸部は、例えば、導光部材１３の先端を物理的に荒らすことにより付けられた傷等であってよい。このように、導光部材１３の周面の先端部に凹凸部が設けられていることにより、導光部材１３の周面が平坦でストレートな面になっている場合よりも、導光部材１３の周面の先端部から出射される光を多くすることができる。これは、導光部材１３の先端部の凸部（図４に示した例では、球体部１３１）が、導光部材１３内を吸引管１２の管軸方向に沿って進行した光を、一部管軸方向に直交する径方向に内面反射させて、周面から径方向に出射させる役割を果たすためである。
【００３１】
仮に、導光部材１３の先端部に凹凸部が無い場合、導光部材１３の先端からほとんどの光が出射することになり、図１に示すように吸引物Ｌの吸引時に、吸引管１２の吸引口１２ａを体内の組織Ｔにくっつけるように近づけると、導光部材１３の先端から出射される光が組織Ｔにより止められて有効に利用することができない。しかし、本実施形態の吸引器１では、導光部材１３の周面の先端部に凹凸部があることにより周面の先端部から径方向に光を出射させることができ、図１に示すように、吸引物Ｌの吸引時に吸引管１２の吸引口１２ａを体内の組織Ｔにくっつけるように近づけても、組織Ｔの周囲を良好に照らすことができる。
【００３２】
凹凸部の具体的な形状の例としては、図１、図２および図４に示すように、導光部材１３の先端部に設けられた複数の球体部１３１を有する構造が挙げられる。各球体部１３１の間と、球体部１３１の、導光部材１３１の先端から遠い側には、周方向に延びるなだらかな溝部１３２が形成されている。溝部１３２は、球体部１３１に比べて凹んだ部位となっており、球体部１３１と溝部１３２とにより、本実施形態の凹凸部を構成する（形状例１）。球体部１３１の大きさや個数は特に制限されないが、形状例１の溝部１３２のように、凹凸部よりも先端から遠い部分の導光部材１３の直径よりも、くびれた部分を有していることが望ましい。
【００３３】
凹凸部の形状は、上記のような形状には限られず、例えば、図５（ａ）に示すように、導光部材１３の周面の先端部に周方向に延びる複数の溝部２３１を有する構造であってもよい。各溝部２３１の間の平坦部２３２は、溝部２３１に比べて突出した部位となっており、これらの溝部２３１と平坦部２３２とにより、凹凸部を構成する（形状例２）。溝部２３１の幅や数は特に制限されないが、溝部２３１の数が多い方が、導光部材１３の先端部の凹凸部から径方向に出射する光が多くなるため好ましい。
【００３４】
また、凹凸部の形状は、例えば、図５（ｂ）に示すように、導光部材１３の周面の先端部に周方向に延びる、複数のテーパー形状を組み合わせてなる窪み部３３１を有する構造であってもよい。各窪み部３３１の間の平坦部３３２は、窪み部３３１に比べて突出した部位となっており、これらの窪み部３３１と平坦部３３２とにより、凹凸部を構成する（形状例３）。窪み部３３１の幅、形状、数は特に制限されないが、窪み部３３１の数が多い方が、導光部材１３の先端部の凹凸部から径方向に出射する光が多くなるため好ましい。
【００３５】
さらに、凹凸部の形状は、例えば、図５（ｃ）に示すように、導光部材１３の周面の先端部に複数の半球体状の凸部４３１を有する構造であってもよい。各凸部４３１が形成される平坦部４３２は、凸部４３１に比べて凹んだ部位となっており、これらの凸部４３１と平坦部４３２とにより、凹凸部を構成する（形状例４）。凸部４３１の大きさ、配置、個数は特に制限されないが、凸部４３１の個数が多く、かつ、平坦部４３２に密に形成されていた方が、導光部材１３の先端部の凹凸部から径方向に出射する光が多くなるため好ましい。
【００３６】
上述した形状例１〜形状例４のうち、導光部材１３の先端部から径方向に出射する光を多くしつつ、体の組織Ｔを傷つけないようになだらかな形状を持たせるという観点からは、形状例１が特に好適である。
【００３７】
また、形状例１〜形状例４は、いずれも、樹脂の射出成形のみにより容易に製造することができる。
【００３８】
発光部１４は、本体部１１内に設置され、吸引管１２の管軸方向に平行な光を導光部材１３に向けて照射する。発光部１４は、例えば、図２に示すように、ＬＥＤ（発光ダイオード）１４１と、基板１４２と、乾電池１４３と、配線１４４と、スイッチ１４５とを有する。
【００３９】
図３に示すように、ＬＥＤ１４１は、本体部１１の内側面に固定された基板１４２上に設置されている。基板１４２の中央には、吸引管１２が挿通される貫通孔１４２ａが設けられており、例えば、３個のＬＥＤ１４１が、貫通孔１４２ａの周囲に均等に配置されている。ＬＥＤ１４１の個数は、術野を鮮明に照らす照度が得られる限り特に制限されず、１個または２個以上であってよい。また、ＬＥＤ１４１の配置は、通常は貫通孔１４２ａに対して点対称となるように均等に配置されるが、このような配置には限られず、術野を鮮明に照らす照度が得られれば、貫通孔１４２ａに対して非対称となる不均等な配置であっても差し支えない。
【００４０】
本実施形態では、ＬＥＤ１４１は、乾電池１４３により起動される。例えば、図２に示すように、乾電池１４３の正極は、正極端子１４６および配線１４４を介してスイッチ１４５に接続され、乾電池１４３の負極は、負極端子１４７、配線１４４および基板１４２を介して、ＬＥＤ１４１に接続される。また、基板１４２とスイッチ１４５とが配線１４４により接続されており、これらのＬＥＤ１４１と、基板１４２と、乾電池１４３と、配線１４４と、スイッチ１４５と、正極端子１４６と、負極端子１４７とにより回路を構成している。
【００４１】
スイッチ１４５は、上述したように、スイッチ１４５の端面Ｆｓが本体部１１の後端面Ｆｂよりも先端側に位置するように設置されている。そのため、スイッチ１４５は、本体部１１を把持している吸引器１の使用者により不必要に押されにくい位置にある。したがって、吸引部位Ｓから吸引物Ｌを吸引中に、使用者により誤ってスイッチ１４５が押されることを抑制できる。また、本実施形態に係るスイッチ１４５を、押された状態の位置（ＯＮの位置）から、再度スイッチ１４５を押すことにより元の位置（ＯＦＦの位置）に戻らないように、スイッチ１４５の先端部を掴んでスイッチ１４５を後端側へ引き出すことによりＯＦＦの位置に戻すような構造としてもよい。
【００４２】
以上に本発明の実施形態について説明したが、本発明は、前記実施形態に限定されることなく適宜変形して実施することが可能である。
【００４３】
前記実施形態においては、導光部材の周面の先端部に凹凸部を有する構成としたが、凹凸部は無くても構わない。また、凹凸部の代わりに、または、凹凸部に加えて、例えば、導光部材の先端部に光を散乱させやすい濁った半透明の樹脂を用いてもよい。また、導光部材の先端部に多数の気泡を混入させることにより先端部において光を散乱させることもできる。
【００４４】
前記実施形態においては、スイッチ１４５は、押しボタン式のスイッチであったが、スライド式のスイッチであってもよい。
【００４５】
前記実施形態においては、発光部１４は、ＬＥＤ１４１により光を照射するものであったが、例えば、光ファイバ等を用いて導いた光を導光部材１３の後端部に照射してもよい。
【００４６】
前記実施形態においては、ＬＥＤ１４１の電源として乾電池を使用していたが、乾電池のような一次電池に限られず、二次電池や燃料電池を使用してもよい。また、電池以外に、通常ＬＥＤの電源として使用される定電流電源や定電圧電源を使用してもよく、無線の電波によりＬＥＤに電力を供給してもよい。
【実施例】
【００４７】
上述した実施形態に示したように、導光部材１３の周面の先端部に凹凸部を設けることにより、発光部１４から照射されて導光部材１３の先端部から径方向に光を出射させる効果を確認するため、以下のような測定を行った。
【００４８】
実施例として、図１、図２および図４に示す凹凸部が球体部１３１を有する構造の吸引器１を用い、比較例として、図示してはいないが、導光部材１３の周面の先端部に凹凸部を有さないストレートティップを用い、発光部１４から照射される光の照度を比較した。
【００４９】
測定方法は、以下の通りである。すなわち、ＬＥＤの電源としては、Ｐａｎａｓｏｎｉｃ社製の単４アルカリ電池１本を用い、ＬＥＤとしては、φ５ｍｍの白色ＬＥＤ３個を図３に示すように配置して使用した。また、導光部材１３の中心軸の設置面からの高さが２０ｍｍとなるように吸引器１を設置し、照度計を導光部材１３の中心軸の位置から側方に１０ｍｍ離間させて設置した。さらに、照度計として、ＤＩＧＩＴＡＬ  ＬＵＸ  ＭＥＴＥＲ（ＬＸ−１０１０Ｂ）を使用し、照度計レンジを２０００に設定し、温度２２℃および湿度６０％の環境にて照度を測定した。照度の測定の際には、ＬＥＤの電源がＯＦＦの状態における照度の測定値が０となっていることを予め確認した。
【００５０】
以上のようにして、実施例および比較例の吸引器における導光部材１３の先端部の側方における照度を測定したところ、比較例の吸引器の照度が３１９ＬＵＸであったのに対し、実施例の吸引器１の照度は６３８ＬＵＸであった。このように、導光部材１３の周面の先端部に凹凸部（本実施例では、球体部１３１）を設けることにより、導光部材１３の先端部から径方向に出射する光が増加することが分かった。
【符号の説明】
【００５１】
１      医療用吸引器
１１    本体部
１２    吸引管
１３    導光部材
１４    発光部
１４１  ＬＥＤ
Ｌ      吸引物
Ｔ      組織
【図１】
2020130666.tif 000003
【図２】
2020130666.tif 000004
【図３】
2020130666.tif 000005
【図４】
2020130666.tif 000006
【図５】
2020130666.tif 000007